Podtech/llm-jp-corpus-v4-ja_patent huggingface dataset:
(57)【要約】【課題】  本考案は、メモ書きした付箋等を目立たせて気づきやすくし、且つよく知られ親しまれた表彰台形状をした付箋等の収容ケースを新規に提供することを課題とする。【解決手段】  本考案は、下箱に被せ嵌めする被せ蓋の上面を中央と左右の３帯に分けて、中央帯を最高段、左帯を次高段、右帯を次々高段とする表彰台形にして、且つ中央帯などにポールを植設して、このポールに下箱内より取り出して書した付箋，メモ紙類をポールに貼りつけて掲げるようにして課題を解決する。【選択図】図４
0003203376.tif 000002
【実用新案登録請求の範囲】
【請求項１】
下箱に被せ嵌めする被せ蓋の上面を中央と左右の３帯に分けて、中央帯を最高段、左帯を次高段、右帯を次々高段とする表彰台形にして、且つ１乃至３本のポールを植設し、付箋，メモ紙類をポールに貼りつけて掲げるようにしたことを特徴とするポール付の表彰台形をした付箋等の収容ケース。
【請求項２】
被せ蓋の上面を中央帯と左右帯別に開閉するようにした請求項１に記載のポール付の表彰台形をした付箋等の収容ケース。
【考案の詳細な説明】
【技術分野】
【０００１】
この考案はポール付の表彰台形をした付箋等の収容ケースに関するものある。
【背景技術】
【０００２】
この種のものとしては実用新案登録第３０８０２３９号公報がある。該公報はケース内にメモ冊子と付箋冊子を揃えて収容することを記載している。
【特許文献１】実用新案登録第３０８０２３９号公報
【考案の開示】
【考案が解決しようとする課題】
【０００３】
しかしながら、メモ等を書いた付箋は目立つところに貼り付けてこそ意義があるが、該公報の考案には目立つどころか付箋の貼り付け手段自体がないという課題がある
【課題を解決するための手段】
【０００４】
本考案は、付箋等の収容ケースの被せ蓋の上面を体育会系などにて知られ親しまれているポール付の３段形の表彰台を模した形にして、収容ケースより取り出したメモ等を書き印した付箋，メモ紙をポールに横長等に貼り付けて張り付けて目立たせて気づきやすいようにして課題を解決したのである。
【考案の効果】
【０００５】
本考案は、３段形の表彰台を模した被せ蓋のポールにメモなどを書き印した付箋，メモ紙を貼付けるようにしたので、書き印したメモ等は目立たって、気づきやすくなるという効果を生ずる。
【０００６】
付箋入れケースを体育会系などの使用によりよく知られ親しまれている３段形の表彰台を模した形にしたことで観賞用の置物としても格別の効果が生ずる。
【図面の簡単な説明】
【０００７】
【図１】第１実施例の収容ケースを示す斜視図
【図２】ポールを３本植設した例を示す斜視図
【図３】同、被せ蓋を外した状態と付箋，メモ紙を示す斜視図
【図４】メモを印した付箋をポールに貼り付けた使用状態を示す斜視図
【図５】第２実施例を示す斜視図
【符号の説明】
【０００８】
１は下箱
２は被せ蓋
３は収容ケース
３ａは最高段
３ｂは次段
３ｃは次々段
３ｄはポール
４ａ，４ｂ，４ｃは付箋
５はメモ紙
６は蝶番
７ａは掛止辺
７ｂは挿脱片
【考案を実施するための最良の形態】
【０００９】
本考案は、付箋等を収容する収容ケースに被せ嵌めする被せ蓋の上面を中央と左右の３帯に分けて、中央帯を最高段、左帯を次高段、右帯を次々高段とする体育会系などにて知られ親しまれている表彰台形にして、且つ適度の高さのポールを植設して、付箋またはメモ紙の収容ケースを構成する。
【実施例１】
【００１０】
図１乃至図４は本考案の第１実施例であって、付箋，メモ紙などを収容する下箱１に表彰台形をした被せ蓋２を着脱自在に被せ嵌めしてケース３とする。被せ蓋２は上面上を中央と左右の３帯に分けて、中央帯を最高段３ａ，左帯を次高段３ｂ，右側を次々高段３ｃとする高低差をつけている。
【００１１】
そして中央帯の最高段３ａの奥端近くの上面上に適度の高さとするポール３ｄを植設し、または図２に示すように左右帯とともに３本のポール３ｄを立てて、体育会系などにて知られ親しまれている表彰台形をした付箋入れケース３とする。
【００１２】
付箋等を収容するケース３は被せ蓋２を取り外して下箱１内に例えば着色分けした細帯状の付箋４ａ，４ｂ，４ｃの各束を並べ入れ、または付箋にかえて大型，小型のメモ紙５を収容する。
【００１３】
メモなどは付箋４ａ，４ｂ，４ｃまたはメモ紙５より取り出して、連絡事項などをメモ書きしてから図４に示すように被せ蓋２上のポール３ｄに貼りつけて目立つようにする。このようにしてメモ書き等を書き印した付箋，メモ紙は、１乃至３本のポール３ｄに横長等に貼り付けられて気づきやすいために早い時間にメモは実行されることとなる。
【実施例２】
【００１４】
図５は本考案の第２実施例であって、被せ蓋２を蝶番６をもとにして容器別に旋回開閉するようにした例を示している。７ａ，７ｂは前端の止輪と挿脱片である。その他の構成と作用は第１実施例と同じである。
【産業上の利用可能性】
【００１５】
本考案は付箋等を収容するケースを体育会系などにて知られ親しまれている３段の表彰台形としたことで広く利用されることとなる。
【図１】
0003203376.tif 000003
【図２】
0003203376.tif 000004
【図３】
0003203376.tif 000005
【図４】
0003203376.tif 000006
【図５】
0003203376.tif 000007
(57)【要約】      （修正有）【課題】交通視野の妨げとなる雑草の生育を抑制するとともに芝草や草花等の内短草等の所望植物を長期的に繁茂させ、地域景観の向上を図れる肥料帯付穴開雑草抑止緑化シートを提供する。【解決手段】いずれも軽量で破損や腐食がしにくく光を通しにくい黒色の材質で形成されたシートで、下から保水性不織布、ポリシート、撥水性不織布の順に重ね、熱接着で一枚の防草シートを形成し、これに一定間隔で無数の穴を開け下部には種子シート７、上部には肥料帯８付ラッセルネット９を構成した肥料帯付穴開雑草抑止緑化シートであって、地山等から出て来る雑草を抑える。【選択図】図３
0003203360.tif 000002
【実用新案登録請求の範囲】
【請求項１】
ポリシートを撥水性不織布と保水性不織布で挟み込み熱接着した防草シートに、一定間隔で無数の穴を形成し、この穴開防草シートの下部に種子シートを上部には肥料帯付ネットを構成したことを特徴とする肥料帯付穴開雑草抑止緑化シート。
【考案の詳細な説明】
【技術分野】
【０００１】
本考案は、法面の緑化に用いられる植生ネットに関するものである。
【背景技術】
【０００２】
土地造成や道路建設などに伴って形成される法面には、その保護として植物を植生させる緑化方法がとられている。この緑化方法として機械を用いて植生材料と種子を混合し、法面に吹き付ける緑化方法と種子を保持させたシートを植生ネットの一側面に装着し、これを法面に敷設する緑化方法や上記の種子シートを装着した植生ネットに袋収納部を形成し、この袋収納部に植生材料を収納し、これを法面に敷設して緑化を図る方法の特許文献１等が知られている。  
【先行技術文献】
【特許文献】
【０００３】
【特許文献１】特開平１１−０２９９３２号広報
【考案の概要】
【考案が解決しようとする課題】
【０００４】
しかし、機械を用いての種子吹付や種子付植生ネット等を敷設しての緑化は、法面の緑化保護を目的としているため、種子の発芽・生育が容易な状態を形成しているので、施工個所の埋土種子や飛来種子による雑草の生育も多く、背丈の高い草に覆われやすく、住宅地や公共施設付近の法面では、防災と景観を損ねないように毎年膨大な経費をかけて除草作業が行われている問題点がある。
【課題を解決するための手段】
【０００５】
本考案者は、上記課題を検討した末、雑草を防除し所望植物を繁茂させるべく収納部付植生ネットに一定間隔で複数の穴を形成した防草シートと種子シート及び肥料帯を一体化させた肥料帯付穴開雑草抑止緑化シートによる防草抑止短草緑化。  
【考案の効果】
【０００６】
肥料帯付穴開雑草抑止緑化シートは、交通視野の妨げとなる雑草の生育を抑制するとともに芝草や草花等の内短草等の所望植物を長期的に繁茂させ、地域景観の向上を図れる肥料帯付穴開雑草抑止緑化シートである。
【図面の簡単な説明】
【０００７】
【図１】防草シートを示す説明図である。
【図２】穴開き防草シートを示す斜視図である。
【図３】肥料帯付穴開雑草抑止緑化シートを示す説明図である。
【図４】肥料帯付穴開雑草抑止緑化シートを示す断面図である。
【考案を実施するための形態】
【０００８】
以下、図面を参照して本考案の具体的な実施形態を詳述する。
【実施例】
【０００９】
以下、図面に従って説明する。
図１は、いずれも軽量で破損や腐食がしにくく、光を通しにくい黒色の材質で形成されたシートで、下からポリエステル製で植芽を通さず保水性を有する保水性不織布１、植根や水を通さないポリシート２及びポリエステル製で撥水性を有する撥水性不織布３の二枚の防草シートを順に重ね熱接着で一枚の防草シート４に形成する。なお、防草シートは、これを形成している撥水性の不織布面を表面とし、保水性を有する不織布面を裏面として使用する。
【００１０】
三枚の黒色シートで形成された防草シートは、地表面への太陽光を遮断し、地下埋土種子の発芽・発根を抑制する。また、表面に構成された撥水性を有する不織布と中間に構成されたポリシートはそれぞれ発芽・発根を抑制するシートでこの二重による防草シートにより、飛来種子の発芽・発根を抑制し、地下面に構成された保水性を有する不織布は、該防草シートに附帯される種子シートに水分を補給し、短期間での発芽・発根を可能としている。
【００１１】
図２は、図１で形成された縦１ｍ・横１ｍの防草シート４に一定間隔で直径が１５ミリ前後の穴５を縦３９穴・横３９穴・合計１，５２１穴を形成し、１平米に穴の面積割合約２７％防草面積割合７３％で形成した穴開き防草シート６を示したものであるが、穴の直径、孔の数はこの限りではない。
【００１２】
図３は、図２で形成した穴開き防草シート６の下面に水分を吸水すると溶ける性質がある紙シートに種子を付着させた種子シート７、上面には浸食防止効果が大きい二重編みのポリエチレン製ラッセルネット９、これに数十センチ間隔で形成された収納部に肥料、土壌改良材、保水材を収納した肥料帯８を装着し、縁周りを縫製して一枚の肥料帯付穴開雑草抑止緑化シートに形成する。
【００１３】
図４は、肥料帯付穴開雑草抑止緑化シート１０の断面図である。下から施工中に種子の移動がなく地面への密着性が良い水溶性種子シート７、雑草の生育を抑制し地表の水分を保持し初期の発芽を早める穴開き防草シート６、降雨・融雪・凍上等のエロージョンの防止と長期肥料効果を目的とした肥料帯８を装着したポリエチレン製ラッセルネット９を形成した肥料帯付穴開雑草抑止緑化シート１０である。
【００１４】
肥料帯付穴開雑草抑止緑化シートの法面への設置方法は、肥料帯付穴開雑草抑止緑化シートが浮き上がらないように法面の浮石、浮土砂、法肩のかぶりを取り除く等の法面整形を行い、法肩部分は２０ｃｍ程度巻き込み肥料帯が等高線状になるように張り付け、アンカーピンは肥料帯の下側にフック部分を上にして肥料帯を抱き込むように打ち込み、止釘は肥料帯の中央に打ち込み法面に肥料帯付穴開雑草抑止緑化シートを固定します。
【産業上の利用可能性】
【００１５】
肥料帯付穴開雑草抑止緑化シートは、雑草を抑制するとともに所望植物を繁茂させることで、地域の防災と地域景観の向上が図れる防草緑化として、大いに利用される可能性の高い緑化資材である。
【符号の説明】
【００１６】
１  保水性不織布
２  ポリシート
３  撥水性不織布
４  防草シート
５  穴
６  穴開き防草シート
７  種子シート
８  肥料帯
９  ラッセルネット
１０  肥料帯付穴開雑草抑止緑化シート
【図１】
0003203360.tif 000003
【図２】
0003203360.tif 000004
【図３】
0003203360.tif 000005
【図４】
0003203360.tif 000006
(57)【要約】      （修正有）【課題】内容物のボリュームや見栄えを良くすることが可能な弁当容器を提供する。【解決手段】熱可塑性樹脂シートを成形して得られる弁当容器であって、下方に伸びる傾斜面と上方に伸びる傾斜面を連続的に設けた棚部を複数連設して収容部を構成した。下方に伸びる傾斜面と上方に伸びる傾斜面の連続部位を湾曲形状に構成するのが好ましい。【選択図】図１
0003203353.tif 000002
【実用新案登録請求の範囲】
【請求項１】
熱可塑性樹脂シートを成形して得られる包装用容器において、下方に伸びる傾斜面と上方に伸びる傾斜面を連続的に設けた棚部を複数連設して収容部を形成したことを特徴とする弁当容器。
【請求項２】
下方に伸びる傾斜面と上方に伸びる傾斜面の連続部位を湾曲形状にした請求項１に記載の弁当容器。
【考案の詳細な説明】
【技術分野】
【０００１】
本考案はコンビニエンスストアやスーパーマーケット等で陳列販売される弁当容器に関し、より詳しくは熱可塑性樹脂シートを成形して得られる弁当容器に関するものである。
【背景技術】
【０００２】
上記のような弁当容器は、一般に底部と当該底部の周囲にそれと一体に上方に立ち上がる側壁部を設けて構成してある。
【０００３】
昨今、コンビニエンスストアやスーパーマーケット等で陳列販売される弁当容器においては、内容物のボリュームや見栄えを良くするため容器の深さを浅くすると共に、容器上面の開口をなるべく広くして内容物がよく見えるよう工夫されたものがある。
【０００４】
特許文献１には食品載置面を有する盛り付け用膨出部が上方に向けて膨出形成されていると共に該盛り付け用膨出部が前後に複数並設されており、手前側の盛り付け用膨出部に対して奧側の盛り付け用膨出部を高く形成することで、立体的で見栄えの良い盛り付けを可能とした包装用容器が開示されている。
【０００５】
特許文献２には容器本体の食品収容部の底面を傾斜状に山形に形成することで、内容物を見栄え良くする工夫が施された包装用容器が開示されている。
【先行技術文献】
【特許文献】
【０００６】
【特許文献１】特開２０１５−２２４０４０号公報
【特許文献２】特開２０１１−２４０９４３号公報
【考案の概要】
【考案が解決しようとする課題】
【０００７】
本考案も内容物のボリュームや見栄えを良くすることが可能な弁当容器を提供することを目的とする。
【課題を解決するための手段】
【０００８】
上記の目的を達成する本考案の構成は次の通りである。
【０００９】
（１）  請求項１に記載の考案は、熱可塑性樹脂シートを成形して得られる弁当容器であって、下方に伸びる傾斜面と上方に伸びる傾斜面を連続的に設けた棚部を複数連設して収容部を構成した。
【００１０】
（２）  請求項２に記載の考案は、請求項１記載の弁当容器において、下方に伸びる傾斜面と上方に伸びる傾斜面の連続部位を湾曲形状に構成した。
【考案の効果】
【００１１】
上記のように構成される本考案が、如何に作用して課題を解決するかを図面を参照しながら概説する。
【００１２】
図１に示すように本考案にかかる弁当容器１０には食品を収容する収容凹部１１，１２，１３，１４，１５が設けられており、例えば大きな容積を有する収容凹部１１にはご飯が、小さな容積を有する収容凹部１２，１３，１５には漬物や煮物などを収容する構成となっている。
【００１３】
本考案は主なおかずをを収容する比較的大きな容積を有する収容凹部１４を、下方に伸びる傾斜面１４ａと上方に伸びる傾斜面１４ｂを連続的に設けた棚部２２を複数連設することで形成してある。各種おかずを棚部２２ごとに載置することが可能となり、つまりは各種おかずが重ならず可視的な面を大きく陳列することが可能となる。これにより見栄え良くおかずを収容することが可能となるのである。
【００１４】
また、おかずを立体的に陳列できるため、ボリューム感を演出することも可能となる。
【００１５】
更には、おかずが移動しにくい為、工場で盛り付けした状態を維持しやすく、商品価値を維持することも可能となる。
【００１６】
また、複数の食材が置かれても、食材同士が接する面積が減少するので、味移りの恐れが小さくバランを用いる必要性が減少する。
【００１７】
請求項２に記載の考案は、下方に伸びる傾斜面１４ａと上方に伸びる傾斜面１４ｂの連続部位Ｂを図３に示すように湾曲形状に形成してある。かかる形状にすることで洗浄が容易になり、リサイクルの便宜を図ることが可能となる。つまり連続部位を湾曲形状ではなく直線的な角部とすると食物残渣が入り込み付着し洗浄しづらいという難点を有する。これに対し本願のように湾曲形状とすると食物残渣が付着しづらく、よって先浄水も少量で足り、また洗浄作業も短時間で済むことになる。つまりはリサイクルが容易となるのである。
【図面の簡単な説明】
【００１８】
【図１】本考案の正面図
【図２】同、右側面図
【図３】図１におけるＡ−Ａ線端面図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案にかかる弁当容器１０は、熱可塑性樹脂シートを熱成形することによって、図２に示すように底部２０から側壁２１が立ち上がり容器を形成するものである。
【００２１】
本実施形態においては図１に示すように正面略長方形状の皿状に形成され、その内部は複数個の仕切部１６，１７、１８，１９で正面略方形の５つの収容凹部１１，１２，１３，１４，１５に仕切られている。
【００２２】
本考案は収容凹部を、下方に伸びる傾斜面と上方に伸びる傾斜面を連続的に設けた棚部を複数連設したことを特徴とする。図１、図３でいえばが、下方に伸びる傾斜面１４ａと上方に伸びる傾斜面１４ｂを連続して棚部２２を形成し、この棚部２２を連設することで収容凹部１４が設けられている。請求項２に記載の考案においては、下方に伸びる傾斜面１４ａと上方に伸びる傾斜面１４ｂの連続部位Ｂ、すなわち収容凹部１４の下端部が湾曲形状に形成してある。
【符号の説明】
【００２３】
１０・・弁当容器
１４ａ，１４ｂ・・傾斜面
２２・・棚部
【図１】
0003203353.tif 000003
【図２】
0003203353.tif 000004
【図３】
0003203353.tif 000005
(57)【要約】      （修正有）【課題】器具や爪空隙を作ることなく容易に脱栓できる封止栓を提供する。【解決手段】一体に成型した２段フランジ封止栓２の下段のフランジ６の外径を上段のフランジ５の外径より小径に成型することにより密封に上段のフランジ５と容器封止面３の間に形成される空隙を利用して脱栓する。【選択図】図１
0003203390.tif 000002
【実用新案登録請求の範囲】
【請求項１】
封止フランジを２段フランジに成型し、上段のフランジ外径より下段のフランジ外径を小径に成型して開封には上段のフランジと下段のフランジ間に形成される空隙を利用して脱栓する封止栓
【請求項２】
フランジ外径より小径の弾性材のパッキンを封止栓に挿入して密封しフランジとパッキン間に形成される空隙を利用して脱栓する封止栓
【請求項３】
フランジ外周の下部角を傾斜に隅切りしフランジと容器封止面の間に形成される空隙を利用して脱栓する封止栓
【考案の詳細な説明】
【技術分野】
【０００１】封止フランジと容器口の間に空隙を形成して脱栓を容易にする封止栓に関する
【背景技術】
【０００２】一般に容器の封止栓はフランジ下面と容器口を密着封止してあるため、脱栓には爪或は薄い金属片によって空隙を形成して脱栓をはかる。封止フランジと容器口間に空隙を形成する封止栓であれば器具を用いることなく容易に封止栓を脱栓できる
【考案の概要】
【考案が解決しようとする課題】
【０００３】一般に容器の封止栓の脱栓にはフランジ下面と容器口を密着封止してあるため、爪或は薄い金属片によって空隙を形成して脱栓をはかる。かかる器具や爪で空隙を作ることなく容易に脱栓ができる封止栓が求められる。
【課題を解决するための手段】
【０００４】容器口と容器口に相対する封止栓のフランジ間に空隙を形成して開封の手掛かりとする構造の封止栓とする。手段として封止フランジを２段フランジに成型し、上段のフランジ外径より下段のフランジ外径を小径に成型して上段のフランジと容器口の間に空隙を形成するよう一体に成型した封止栓とする、あるいはフランジ外径より小径の弾性材のパッキンを封止時に封止栓に挿入して密封しフランジとパッキン間に空隙を残す手段、およびフランジ外周の下部角を隅切りしフランジと容器封止面の間に空隙を形成する手段がある。
【考案の効果】
【０００５】容器の封止栓の脱栓に爪或は薄い金属片を用い空隙を形成することなく容易に脱栓できる
【図面の簡単な説明】
【０００６】図１は容器上部に挿入する封止栓２のフランジ５に小径の下段フランジ６を１体に成型した封止栓２をキャップ１で下段フランジの下面を容器口に押圧して封止時にフランジ５の下に空隙８を形成して容器口とフランジ間に空隙を残して封止することを示す。図２に示す手段はフランジ外径より小径の弾性材のパッキンを封止栓に挿入して密封しフランジとパッキン間に空隙を形成する。図３に示す手段はフランジ外周の下部角を傾斜に隅切りしフランジと容器封止面の間に空隙を形成する。
１    キャップ
２    封止栓
３    容器封止面
４    フランジを容器口に圧封止
５    上段フランジ
６    下段フランジ
７    上段のフランジと下段のフランジ間にある空隙
８    クッション材
９    下隅面とり
１０  弾性材パッキン
１１  空隙
【図１】
0003203390.tif 000003
【図２】
0003203390.tif 000004
【図３】
0003203390.tif 000005
【手続補正書】
【提出日】平成27年12月8日(2015.12.8)
【手続補正１】
【補正対象書類名】実用新案登録請求の範囲
【補正対象項目名】全文
【補正方法】変更
【補正の内容】
【実用新案登録請求の範囲】
【請求項１】
一体に成型した２段フランジ封止栓の下段のフランジ外径を上段のフランジ外径より小径に成型することにより密封封に上段のフランジと容器封止面の間に形成される空隙を利用して脱栓する封止栓
【請求項２】
封止栓の封止フランジ外径より小径の弾性材のパッキンを封止栓に嵌挿して密封時にフランジと容器封止面の間に形成される空隙を利用して脱栓する封止栓
【請求項３】
封止栓の封止フランジ外周の下部角を隅切りしてフランジと容器封止面の間に形成される空隙を利用して脱栓する封止栓
【手続補正２】
【補正対象書類名】明細書
【補正対象項目名】０００６
【補正方法】変更
【補正の内容】
【０００６】
【図１】封止栓２のフランジ５の下部にフランジ５の外径より小径の下フランジ６を１体に成型する封止栓の正面図
【図２】フランジ５に嵌挿するフランジ５の外径より小径の弾性材のパッキンの断面図
【図３】フランジ５外周の下部角を傾斜に隅切りしたフランジ５の断面図
(57)【要約】      （修正有）【課題】車の後進を止める駐車止め枠を提供する。【解決手段】駐車場の車止め部に埋設された鉄製の箱型の長辺部に車両の車輪が乗る事により、乗り入れ側を軸として１０ｃｍ程下がり、その力を利用して止板２が５ｃｍ上がり、車輪に対して１５ｃｍの段差ができ車輪を止め、また車輪が出るとバネ３の力を利用して元の平な状態になる。【選択図】図２
0003203389.tif 000002
【実用新案登録請求の範囲】
【請求項１】
駐車場の車止めに鉄枠を設け車輪が乗ると、駐車敷板（１）が下がり、また止板（２）が上がり車輪を止めることを設けた駐車止め枠。
【考案の詳細な説明】
【技術分野】
【０００１】  この実用新案は車の重量を利用して、駐車敷板（１）を下げまた駐車敷板（１）が下がる力を利用して  止板（２）が上がり車の後進を止める駐車止め枠に関するものである。
【背景技術】
【０００２】  従来の、駐車場の車止めはコンクリートブロック等で駐車場面に突起している。
【実用新案の開示】
【実用新案が解決しようとする課題】
【０００３】  これには次のような欠点があった。
（イ）子供、老人等がつまづき事故を誘発する。
（ロ）土地の有効利用に規制がある。
（ハ）美観が悪い。
本、実用新案は以上のような欠点をなくすためになされたものである。
【課題を解決するための手段】
【０００４】  問題である駐車場の突起物を無くすため車が後進してくると、車の自重により駐車敷板（１）を下げ、止板（２）を上げて車輪を止める。又  前進した時はバネ・油圧等により元に戻り、水平になり、駐車場は平らになる。
本、実用新案は以上の構成よりなる駐車止め枠である。
【実用新案の効果】
【０００５】（イ）駐車場に突起物がなくなり事故が軽減される。
（ロ）駐車場に突起物がないので平面が１００パーセント有効利用できる。
（ハ）美観が改善される。
【実用新案を実施するための最良の形態】
【０００６】  以下、本実用新案を実施するための最良の形態について説明する。
駐車位置に設置された駐車敷板（１）は鋼製でタイヤよりやや大きめ長方形にて駐車面に平らに設置されている。車が後進して駐車敷板（１）に乗ると自重により駐車敷板（１）が下がり、駐車場面から１００ｍｍほど下がる。駐車敷板（１）は下がりながら止板（２）を駐車場面から５０ｍｍ上げる。車輪下面から止板上部まで１５０ｍｍの壁ができ、車輪を止める。
又車が前進した時は駐車止め枠の中に内蔵されたバネ（３）により駐車敷板（１）が元にもどされ、水平になり、駐車場は平らになる。
本、実用新案は以上のような構造である。
これを使用する時は、区画線を利用して車輪を駐車敷板（１）に乗るようにする。車１台に付き、２か所必要となり、車のタイプにより巾・大きさが変わる。
【図面の簡単な説明】
【０００７】
【図１】  本  実用新案の平面図  である。
【図２】  本  実用新案の正面図  である。
【図３】  本  実用新案の拡大図  である。
【符号の説明】
【０００８】１  駐車敷板
２  止板
３  バネ
【図１】
0003203389.tif 000003
【図２】
0003203389.tif 000004
【図３】
0003203389.tif 000005
【手続補正書】
【提出日】平成28年1月7日(2016.1.7)
【手続補正１】
【補正対象書類名】実用新案登録請求の範囲
【補正対象項目名】全文
【補正方法】変更
【補正の内容】
【実用新案登録請求の範囲】
【請求項１】
駐車場の車止め部に埋設された鉄製の箱型（台形）の長辺部に車両の車輪が乗る事により  乗り入れ側を軸として１０ｃｍ程下がり  その力を利用して止板が５ｃｍ上がり  車輪に対して１５ｃｍの段差ができ車輪を止め  また車輪が出るとバネの力を利用して元の平な状態になる  駐車止め枠。
(57)【要約】      （修正有）【課題】従来のバインダーやカードリングだとリング付近がとてつもなく書きにくく、特に小さいサイズの用紙ほど使い物にならないことを解決できるルーズリーフを提供する。【解決手段】ルーズリーフペーパーやパンチングで穴を開けたペーパー類に、ルーズリーフバインダーやカードリングなど、輪の部分をペーパー類の穴に通して固定する輪っかと、厚い下敷きを組み合わせて使用する。ペーパー類に何か書くとき、輪っかにかかる力が無負荷、又は、負荷を軽減する。更に、ペーパー類の下に敷く厚い下敷きをつなぐ糸状の物を使用する。下敷きを使用して用紙全体を安定させ、用紙を重ねた上から書くような感じになるので書きやすい。【選択図】図１
0003203398.tif 000002
【実用新案登録請求の範囲】
【請求項１】
ルーズリーフペーパーやパンチングで穴を開けたペーパー類に、ルーズリーフバインダーやカードリングなど、輪の部分をペーパー類の穴に通して固定するもの(以下輪っかと言います)と、厚い下敷きこの二つ以上を組み合わせて使用します。
ペーパー類に何か書くとき、輪っかにかかる力が無負荷、又は、負荷を軽減するような構造
【請求項２】
ルーズリーフペーパーやパンチングで穴を開けたペーパー類に、バインダーやカードリングなど、輪の部分をペーパー類の穴に通して固定するものと、ペーパー類の下に敷く厚い下敷きをつなぐ物(糸状の物やその他の物)
【考案の詳細な説明】
【図面の簡単な説明】
【０００１】
【図１】請求項１の説明図です。
【図２】請求項２の説明図です。
【図１】
0003203398.tif 000003
【図２】
0003203398.tif 000004
【手続補正書】
【提出日】平成28年1月15日(2016.1.15)
【手続補正１】
【補正対象書類名】実用新案登録請求の範囲
【補正対象項目名】請求項１
【補正方法】変更
【補正の内容】
【請求項１】
、カードリング又はバインダーの金具のような穴あきの物質を特に力を加えなければ安定し、一般の人の力で開閉する仕組み持つ軸に穴あき用紙など穴あきの物質を閉じていく形状の物質を、平たい板に成形又は溶接、ねじ等固定具や針金を結んだような物質で一体化又は固定し、平の物質の上に置いた場合、発明品の板の筆記面は発明品を置いた平の物質の面に対して平行な構造。
【手続補正２】
【補正対象書類名】実用新案登録請求の範囲
【補正対象項目名】請求項２
【補正方法】変更
【補正の内容】
【請求項２】
カードリング又はバインダーの金具のような穴あきの物質を特に力を加えなければ安定し、一般の人の力で開閉する仕組み持ち軸に穴あき用紙など穴あきの物質を閉じていく形状の物質と平たい板を、針金などひも状の物質で繋ぎ使用者が操作すれば平たい板を常に、カードリング又はバインダーの金具のような穴あきの物質を特に力を加えなければ安定し、一般の人の力で開閉する仕組み持ち軸に穴あき用紙など穴あきの物質を閉じていく形状の物質に閉じられている物質の筆記面の一番底に移動することができる構造
(57)【要約】      （修正有）【課題】覚えておきたいことを即座にメモすることができ、そのメモが常に目の届く範囲にあり、チェックすることができる腕時計型電子メモを提供する。【解決手段】電子メモを湾曲し、小型化したもの１に２のベルトを付け、手首に装着する。【選択図】図１
0003203397.tif 000002
【実用新案登録請求の範囲】
【請求項１】
電子メモを手首に沿うよう湾曲させ小型化し腕時計のように手首に巻いてタッチペンで即座にメモをしたり、メモしたものをチェックできたりすることを特徴とする腕時計型電子メモ。
【考案の詳細な説明】
【技術分野】
【０００１】  本考案は、腕時計のように腕に巻いたメモを時計のように常にチェックできる電子メモに関するものである。
【背景技術】
【０００２】  電子メモは、見るためにどこかから取り出して見なくてはならないために、頻繁にはチェックできない。チェックし忘れてメモ内容を忘れるということも起こってきがちである。腕時計型スマ−トフォンのアプリケ−ションを使ってメモするという方法も考えられるがスマ−トフォンの場合メモ以外のものも見てしまい肝心のメモの内容が疎かになりがちである。
【考案の概要】
【考案が解決しようとする課題】
【０００３】  忘れないように書いた電子メモを常にチェックできるようにする。
【課題を解決するための手段】
【０００４】  電子メモを手首に沿うよう湾曲させ小型化し腕時計のように手首に巻いてタッチペンで瞬時にメモをしたり、メモしたものをチェックしたりする。
【考案の効果】
【０００５】  思いついた時にすぐメモできるので、アイデア等を逃すことが少なくなる。また、手首に常時メモしたものがあり常に瞬時にチェックできるので、忘れを防止できる。
【図面の簡単な説明】
【０００６】
【図１】  湾曲し小型化した電子メモに腕時計用のベルトをつけたもの。
【考案を実施するための形態】
【０００７】  電子メモ全体の形態をまず湾曲させ、小型化する。
【０００８】  ベルトを通す箇所を設け、腕時計のように手首に巻く。
【実施例】
【０００９】  以下添付図に従って、一実施例を説明する。１は、手首に沿うように湾曲させ、小型化した電子メモであり、２は、前記湾曲し小型化した電子メモに腕時計のように手首に巻くためのベルトをつけたものである。
【符号の説明】
【００１０】  １  電子メモを湾曲し、小型化したもの
２  ベルト
【図１】
0003203397.tif 000003
【手続補正書】
【提出日】平成27年12月24日(2015.12.24)
【手続補正１】
【補正対象書類名】実用新案登録請求の範囲
【補正対象項目名】全文
【補正方法】変更
【補正の内容】
【実用新案登録請求の範囲】
【請求項１】
手首に沿うよう湾曲した電子メモに、腕時計のように手首に巻くためのベルトがつけられた腕時計型電子メモ。
(57)【要約】      （修正有）【課題】価格が安く、丈夫で、どんな太さの枝にも対応でき、廃棄も容易な木製の「枝受け支柱」を提供する。【解決手段】果樹の枝が果実の重さで下方へ垂れ下がらないように、４５ｍｍ角の木柱の頂部に、角から中心に向かって３０ｍｍ程度の深さの「Ｖ字型」の切れ込みを入れ、太い枝から細い枝まで、あらゆる太さの枝をしっかりと支えることができるように工夫した。【選択図】図５
0003203393.tif 000002
【実用新案登録請求の範囲】
【請求項１】
果樹（りんごほか）の枝が果実の重さで下方へ垂れ下がらないように、また、どんな太さの枝にも適用できるように工夫した、農業用の「枝受け支柱」。４５ｍｍ角の木柱（枝の高さにより長さは任意）の頂部に、角（かど）から中心に向かって３０ｍｍ程度の深さの「Ｖ字型」の切れ込みを入れることにより、太い枝から細い枝まで、あらゆる太さの枝をしっかりと支えることができる。
【考案の詳細な説明】
【技術分野】
【０００１】  本考案は、木柱の頂部に「Ｖ字型」の切れ込みを入れて、果樹の枝をしっかりと支えるように工夫した「枝受け支柱」に関するものである。
【背景技術】
【０００２】  青森県内のりんご園では、樹上のりんご果実が肥大するにつれて枝が下方に垂れ下がり、時にはその重さに耐え切れずに枝が折損する被害が発生することも少なくない。これを防止するには「枝受け支柱」で枝を下から支えてやる必要があるが、従来は、頂部にＵ字型の支え金具（サポット）を付けた、強化プラスチックまたは塩ビ被覆の金属棒を使用していた。しかし、これは工業製品で価格が高く、折れ曲がることもあり、また廃棄する際にも“産業廃棄物”として有料で取扱われることから、その改善が課題となっていた。
【考案の概要】
【考案が解決しようとする課題】
【０００３】  本考案は、価格が安く、丈夫で、どんな太さの枝にも対応でき、廃棄も容易な「枝受け支柱」の製造をめざしたものである。
【課題を解決するための手段】
【０００４】  価格を安くするために、杉の間伐材を材料とし、太さを４５ｍｍ角の角材とすることにより、丈夫で、取扱いも容易である。また、最も大きな特徴は、角材の頂部に角（かど）から中心に向かって深さ３０ｍｍ程度のＶ字型の切れ込みを入れることによって、同じ仕様で細い枝から太い枝まで対応できる点である。
【図１】
0003203393.tif 000003
【図２】
0003203393.tif 000004
【図３】
0003203393.tif 000005
【図４】
0003203393.tif 000006
【図５】
0003203393.tif 000007
【手続補正書】
【提出日】平成28年1月6日(2016.1.6)
【手続補正１】
【補正対象書類名】実用新案登録請求の範囲
【補正対象項目名】全文
【補正方法】変更
【補正の内容】
【実用新案登録請求の範囲】
【請求項１】
果樹（りんごほか）の枝が果実の重さで下方へ垂れ下がらないように、４５ｍｍ角の木柱（枝の高さにより長さは任意）の頂部に、角（かど）から中心に向かって３０ｍｍ程度の深さの「Ｖ字型」の切れ込みを入れ、太い枝から細い枝まで、あらゆる太さの枝をしっかりと支えることができるように工夫した、農業用の「枝受け支柱」。
【手続補正２】
【補正対象書類名】明細書
【補正対象項目名】全文
【補正方法】変更
【補正の内容】
【考案の詳細な説明】
【技術分野】
【０００１】  本考案は、木柱の頂部に「Ｖ字型」の切れ込みを入れて、果樹の枝をしっかりと支えるように工夫した「枝受け支柱」に関するものである。
【背景技術】
【０００２】  青森県内のりんご園では、樹上のりんご果実が肥大するにつれて枝が下方に垂れ下がり、時にはその重さに耐え切れずに枝が折損する被害が発生することも少なくない。これを防止するには「枝受け支柱」で枝を下から支えてやる必要があるが、従来は、頂部にＵ字型の支え金具（サポット）を付けた、強化プラスチックまたは塩ビ被覆の金属棒を使用していた。しかし、これは工業製品で価格が高く、折れ曲がることもあり、また廃棄する際にも“産業廃棄物”として有料で取扱われることから、その改善が課題となっていた。
【考案の概要】
【考案が解決しようとする課題】
【０００３】  本考案は、価格が安く、丈夫で、どんな太さの枝にも対応でき、廃棄も容易な「枝受け支柱」の製造をめざしたものである。
【課題を解決するための手段】
【０００４】  価格を安くするために、杉の間伐材を材料とし、太さを４５ｍｍ角の角材とすることにより、丈夫で、取扱いも容易である。また、最も大きな特徴は、角材の頂部に角（かど）から中心に向かって深さ３０ｍｍ程度のＶ字型の切れ込みを入れることによって、同じ仕様で細い枝から太い枝まで対応できる点である。
【図面の簡単な説明】
【０００５】
【図１】  ４５ｍｍ角の木柱の頂部に、角から中心に向かって３０ｍｍ程度の深さの「Ｖ字型」の切れ込みを入れた図。
【図２】  対角線は３０ｍｍ程度の深さの「Ｖ字型」の切れ込みを入れた図。
【図３】  ４５ｍｍ角の木柱の図。
【図４】  ４５ｍｍ角の木柱の頂部に、角から中心に向かって３０ｍｍ程度の深さの「Ｖ字型」の切れ込みを入れた図。
【図５】  りんごの枝を「Ｖ字型」の切れ込みを入れた木柱で支えた図。
(57)【要約】【課題】ペットボトルの飲料物の酸化による劣化を少なくすることが可能なペットボトルを提供すること。【解決手段】ペットボトル本体１の側面にペットボトル本体１を畳込めるように、折り目を螺旋状に施す。ペットボトルの飲料物が減少した分量だけ、ペットボトル本体１を上部と下部を同時に反対方向にねじることにより、ペットボトル本体１を畳込んで容積を縮小させ、飲料物と置き換わった空気をペットボトルの外へ排除し、飲料物の空気による酸化を少なくする。【選択図】図１
0003203182.tif 000002
【実用新案登録請求の範囲】
【請求項１】
ペットボトルの側面にペットボトルを折り畳む為の折り目を螺旋状に施したペットボトル。
【考案の詳細な説明】
【技術分野】
【０００１】  飲料用ペットボトルに関するものである。
【背景技術】
【０００２】  従来、ペットボトルにはいろいろな飲料物を入れ、それを密封保存できる容器として使用されている。ペットボトルの飲料物が消費されて少なくなると、その減った分量が空気に置き換わる。その置き換わった空気により飲料物が酸化され、傷みが促進する。この酸化作用がペットボトルの飲料物の寿命を短くする原因の一つである。その為、ペットボトルの開封後はなるべく早く飲料物を消費する必要があった。
【考案の表示】
【考案が解決しようとする課題】
【０００３】  ペットボトル内の飲料物を消費していく過程において、容器内には消費した飲料物の分量が空気に置き換わっていく。この空気による酸化をなるべく減らして、飲料物の傷みを軽減することが可能なペットボトルを提供すること。
【課題を解決するための手段】
【０００４】  ペットボトル側面の上部から下部までの全体に、山と谷の交互の折り目を螺旋状に施す。
【考案の効果】
【０００５】  本考案は、ペットボトルの側面全体に螺旋状の折り目が施されているので、本体の上部と下部をお互いに反対方向にねじることにより、折り目に沿ってペットボトルの側面が畳込まれてペットボトルの容積が縮小する。このようにペットボトルをねじることにより、簡単にペットボトルの容積を縮小させて、その縮小させた分量だけの空気をペットボトルの外へ排出することが出来る。このことにより、ペットボトル内の空気を極力少なくすることによって、空気による飲料物の酸化を少なくすることができる。さらには、本考案のペットボトルが使用済みとなって、廃棄される場合には、ペットボトルの大きさが使用前に比べて格段に小さくなる為にゴミの回収時においても好都合である。
【図面の簡単な説明】
【０００６】
【図１】本体正面図
【図２】縮小した本体正面図
【考案を実施するための形態】
【０００７】  ペットボトルの側面に任意の数の山と谷の折り目を適当な角度で上部から下部に至るまで螺旋状に施す。
【実施例】
【０００８】  以下、添付図面に従って実施例を説明する。１はペットボトル本体、２はペットボトル本体側面に設けられた折り目の谷部、３は同様に山部である。ペットボトルには、飲料物を消費した分量が空気に置き換わってペットボトル内に残る。そこで、ペットボトル本体１を上部と下部を同時に反対方向にねじることにより、折り目の谷部２と山部３に沿ってペットボトル本体１は畳込まれて、ペットボトル本体１の容積が減少して、ペットボトル本体１内の空気を外へ排出する。このことにより、ペットボトル内には、常時飲料物で充満した状態が保たれて、空気による酸化を極力少なくすることができる。最終的には、ペットボトル本体１は、図１に示された状態から図２に示されているように、折り畳まれて容積が極端に小さい状態へと変化する。
【符号の説明】
【０００９】１    ペットボトル本体
２    折り目の谷部
３    折り目の山部
【図１】
0003203182.tif 000003
【図２】
0003203182.tif 000004
(57)【要約】【課題】  家庭用ポリエチレン製の注油ポンプにおいて、油の送るスピードを速くかつ止めるときに油がしたたり落ちることのないようにしたい。【解決手段】  注油ポンプの送出チューブが、らせん形状をしたじゃばらと内面が平滑な直管を交互に連結するように設ける。【選択図】図１
0003203183.tif 000002
【実用新案登録請求の範囲】
【請求項１】
注油ポンプにおいて、送出チューブがらせん形状をしたじゃばらと内側が平滑な管を交互に繰り返して成ることを特徴とする注油ポンプ。
【請求項２】
送出チューブが、２から３周分のらせん形状のじゃばらの後に４から５センチの直管をつなぐことを、３ないし４回繰り返し、最後の管を送出チューブの長さに合わせた長さにしたことを特徴とする請求項１の注油ポンプ。
【考案の詳細な説明】
【技術分野】
【０００１】  本発明は家庭用ポリエチレン製注油ポンプに関する。
【背景の技術】
【０００２】  家庭における暖房器具として、経済的な面から石油ストーブや温風暖房機等が使用されている。暖房器具の燃料タンクに灯油を注油するのにポリエチレン製の注油ポンプが使用されている。
【０００３】  注油ポンプの吐出側チューブはじゃばら形状なっている。じゃばらは石油が流れる方向に対し、垂直方向に平行な凹凸のじゃばらになっているため、抵抗が大きくなり、結果的に流れにくく、注油に時間がかかっていた。
【０００４】  またじゃばら部に油がたまり流れにくくなっているため、注油し終わって空気栓を開いても、油が流れきらず、何時までも滴り落ちる状態であった。時にはもう大丈夫と思い外すと灯油がしたたり落ち、床を汚してしまうことがあった。
【考案の概要】
【考案が解決しようとする課題】
【０００５】  本発明は前述の諸点に鑑みなされたもので、石油ストーブや温風暖房機等早くかつ汚すことなく注油できるようにするものである。また注油終了時に油の流れの切れをよくし、早く流れきるようにするものである。更に着脱可能にろ過板を設け、石油ストーブにごみが入らないようにするものである。
【課題を解決するための手段】
【０００６】  前述の課題を解決するための本考案は、吸い上げチューブ８、分岐部１１、ベロー本体９、空気栓１０、送出チューブ７よりなる注油ポンプ１において、送出チューブに工夫を成したものである。送出チューブはろ過板とじゃばら部と直管部から成る。【０００７】  じゃばら部２は渦巻き状のじゃばらを成したものである。全てが同じ方向かつ同一ピッチを成している。【０００８】  直管部３は内側の断面積をじゃばら部と同一にし、且つ内面は平滑でストレートな管である。【０００９】  送出チューブの入り口側のはめ込み部は、分岐部の吐出部１２に着脱可能にはめ込む。はめ込み部の内側に円周状に溝１４を設け、吐出部の外周に設けた突起１３に、ろ過板をはめ込んだとき固定できるように嵌る。【００１０】  又着脱式の固定方法として吐出部の外に設けたおねじと、はめ込み部の内側に設けためねじで固定する方法でもよい。【００１１】  じゃばら部はじゃばらを２〜３周の長さにし、直線部を４〜５センチにし交互に２〜３個繰り返す。じゃばら部で自在に曲げ、直線部で距離を伸ばすことにより、ちょうど良い形状にすることができる。【００１２】  じゃばら部は灯油の浸食によりらせん状の部分が縒れをほどく方向に伸びようとするので、短くすることにより変形を極力少なくすることができる。
【考案の効果】
【００１３】  本考案にかかる注油ポンプにおいて、送出チューブのじゃばら部がらせん形の溝のため、じゃばらの凹凸による渦流が発生して流れの抵抗にならないため、スムーズに流れ、注油量が増すことができる。また注油を終えようと空気栓を開けた時の流れの切れがよくなり、油の滴り時間を短くすることができる。また油の為肉厚が薄いじゃばら部が伸びきってしまい曲がりにくくなるため、じゃばら部を２から３カ所にすることにより、影響を少なくし、寿命を長くすることができる。ろ過板により石油ストーブや暖房機にごみが入ってしまう危険を防止できる。
【図面の簡単な説明】
【００１４】
【図１】本考案にかかる注油ポンプの全体図
【図２】本考案のじゃばら部を示す説明図
【図３】本考案の送出チューブの取り付け図
【符号の説明】
【００１５】１：注油ポンプ
２：じゃばら部
３：直管部
４：ろ過板
５：はめ込み部
６：管
７：送出チュ−ブ
８：吸い上げチューブ
９：ベロー本体
１０：空気栓
１１：分岐部
１２：吐出部
【図１】
0003203183.tif 000003
【図２】
0003203183.tif 000004
【図３】
0003203183.tif 000005
(57)【要約】      （修正有）【課題】外された入歯が誰のものか、すぐに分かる名前と住所付き入歯を提供する。【解決手段】入歯１の床もしくは歯茎に被せる部分に使用者の名前と住所２を刻印する。【選択図】図１
0003203129.tif 000002
【実用新案登録請求の範囲】
【請求項１】
入歯の床もしくは歯茎に被せる部分に使用者の名前と住所を刻印する。
【考案の詳細な説明】
【技術分野】
【０００１】  本考案は、入歯の歯茎のかぶせの部分や床の部分に使用者の名前および住所を刻印する入歯に関するものである。
【背景技術】
【０００２】  従来、入歯には名前や住所が付いていなかった。医療の現場では多くの入歯を扱っていながら、誰のものか確認するには、入歯ケ−スの名前によって確認するしかなかった。ケ−スと入歯を間違わないように１つの入歯の洗浄等の作業を終え、ケ−スに仕舞うまで次の作業に移れず効率的ではなかった。
【考案の概要】
【考案が解決しようとする課題】
【０００３】  入歯が誰のものかすぐ分かるようにする。
【課題を解決するための手段】
【０００４】  本考案は、入歯の床とか歯茎にかぶせる部分とかに、使用者の名前と住所を刻印するものである。
【考案の効果】
【０００５】  医療の現場で入歯を扱う場合、収めているケ−スから出ていても、誰の入歯か分かるため、間違いがなくなる。入歯に関する作業が時間的に効率化される。災害などにあった場合入歯が口腔内に残っていれば、名前の確認が速くできる。
【図面の簡単な説明】
【０００６】
【図１】名前と住所が刻印された入歯
【考案を実施するための形態】
【０００７】  入歯の床とか歯茎にかぶせる部分とかに、使用者の名前と住所を刻印する。希望すれば電話番号等の個人情報も刻印できるものとする。
【実施例】
【０００８】  以下添付図に従って、一実施例を説明する。１は入歯本体。２は、刻印された名前と住所。
【符号の説明】
【０００９】  １入歯
２刻印された名前と住所
【図１】
0003203129.tif 000003
【手続補正書】
【提出日】平成27年11月16日(2015.11.16)
【手続補正１】
【補正対象書類名】実用新案登録請求の範囲
【補正対象項目名】全文
【補正方法】変更
【補正の内容】
【実用新案登録請求の範囲】
【請求項１】
入歯の床もしくは歯茎に被せる部分に使用者の名前と住所を刻印したことを特徴とする名前と住所付き入歯。
(57)【要約】      （修正有）【課題】飲食業界では主に機能重視の頭巾が使用されており、一般的に変化の乏しい形状がほとんどである。本考案は機能重視になりがちな頭巾にボタンを取付けて立体的に変化させ、頭巾にファッション性を持たせたものである。【解決手段】頭巾の左右側頭部の耳に相当する付近に装飾用ボタンなどを取り付け、更に頭巾上部の左右端にボタンホール用布を縫い付けてボタンに掛ける。ボタンを掛けずに別のスタイルを楽しむこともできる。また、ボタンを外せるので洗濯後のアイロンがけが容易にできる。【選択図】図２
0003203126.tif 000002
【実用新案登録請求の範囲】
【請求項１】
頭巾を被った際に、左右側頭部に取付けられているボタンがファッション性を醸し出す。また、ボタンの掛け・外しが可能なので洗濯後のアイロンがけが容易にできる頭巾である。
【考案の詳細な説明】
【技術分野】
【０００１】
本発明は、頭巾の左右にボタンを取り付け、頭巾上部に縫い付けたボタンホールを掛けることにより、平面的な頭巾を立体的に変化させ、頭に沿うようにして使用できる頭巾に関するものである。
【背景技術】
【０００２】
従来の飲食関係職場では、髪の毛および耳までを覆った機能本位の頭巾を使用していた。
【先行技術文献】
【特許文献】
【０００３】
【特許文献１】意匠登録第１４５８６２７号
【特許文献２】意匠登録第１２４７９６８号
【考案の概要】
【考案が解決しようとする課題】
【０００４】
従来は、髪の毛および耳までを覆った機能本位の頭巾であった。
【課題を解決するための手段】
【０００５】
洗濯、アイロンがけが可能な布で製作し、頭巾の左右側頭部の耳に当たる付近に装飾用ボタンを取り付け、更に頭巾上部の左右端にボタンホール用の布を縫い付けてボタンを掛けて、頭の形状に沿うようにする。
【考案の効果】
【０００６】
頭巾を被る際に、頭巾上部左右のボタンホールをボタンに掛けることにより、立体的に頭の形状に沿うようになる。そしてボタンもアクセントとなりファッション性を醸し出す。この他の使い方として、図10、図11のようにボタンを掛けずに別の形状のファッションを楽しめる。また、ボタンの掛け・外しが可能なので洗濯後のアイロンがけが容易にできる。
【図面の簡単な説明】
【０００７】
【図１】正面図
【図２】背面図
【図３】左側面図
【図４】右側面図
【図５】平面図
【図６】底面図
【図７】使用参考図--斜め
【図８】使用参考図--真横
【図９】使用参考図--正面
【図１０】使用参考図--ボタン掛けず斜め
【図１１】使用参考図--ボタン掛けず正面
【考案を実施するための形態】
【０００８】
図２のように、頭巾の左右側頭部の耳に当たる付近に装飾用ボタンを取り付け、更に頭巾上部の左右端にボタンホール用布を縫い付けてボタンに掛ける。ボタンを掛け・外しが可能なのでアイロンがけが容易にできる。
【実施例】
【０００９】
図７、図８、図９、図10、図11使用参考図のようにファッション性を持たせた形態である。
【産業上の利用可能性】
【００１０】
ファッション性のある頭巾を被ることにより、明るい労働環境となり、好感度な接客対応となる。
【図１】
0003203126.tif 000003
【図２】
0003203126.tif 000004
【図３】
0003203126.tif 000005
【図４】
0003203126.tif 000006
【図５】
0003203126.tif 000007
【図６】
0003203126.tif 000008
【図７】
0003203126.tif 000009
【図８】
0003203126.tif 000010
【図９】
0003203126.tif 000011
【図１０】
0003203126.tif 000012
【図１１】
0003203126.tif 000013
【手続補正書】
【提出日】平成27年9月24日(2015.9.24)
【手続補正１】
【補正対象書類名】明細書
【補正対象項目名】０００７
【補正方法】変更
【補正の内容】
【０００７】
【図１】正面図
【図２】背面図
【図３】左側面図
【図４】右側面図
【図５】平面図
【図６】底面図
【図７】使用参考図‐‐斜め
【図８】使用参考図‐‐真横
【図９】使用参考図‐‐正面
【図１０】使用参考図‐‐ボタン掛けず斜め
【図１１】使用参考図‐‐ボタン掛けず正面
【図１２】背面構造図
【手続補正２】
【補正対象書類名】実用新案登録請求の範囲
【補正対象項目名】全文
【補正方法】変更
【補正の内容】
【実用新案登録請求の範囲】
【請求項１】
左右の側頭部の位置に洗濯後のアイロンがけが容易にできるように、掛け・外しが可能なボタンを取り付けた頭巾である。
【手続補正３】
【補正対象書類名】図面
【補正対象項目名】図１２
【補正方法】追加
【補正の内容】
【図１２】
0003203126.tif 000014
【手続補正書】
【提出日】平成27年12月18日(2015.12.18)
【手続補正１】
【補正対象書類名】実用新案登録請求の範囲
【補正対象項目名】全文
【補正方法】変更
【補正の内容】
【実用新案登録請求の範囲】
【請求項１】
左右の側頭部の位置にボタンホールの掛け・外しが可能なようにボタンを取り付け、頭巾の上部の左右端にボタンの掛け・外しが可能な布を縫い付けたボタンホールを設けた頭巾。